(57)【要約】データ記憶装置（１）は、屈折率が加熱により局所的に変更可能なポリマー膜（１１）を有する光学的情報キャリア（１０）を備える。光学的情報キャリア（１０）は、リール（１２）に巻き付けられ、情報を、このために予定された領域（１４）における情報を読み出しおよび書き込むために、リール（１２）から解かれるように設計される。また上記ポリマー膜（４６）は延伸されることを特徴とし、上記ポリマー膜（４６）に吸収体（４８）が割り当てられ、上記吸収体は、書き込みビームを少なくとも部分的に吸収し、その際に生成された熱を少なくとも部分的に、局所的に上記ポリマー膜（４６）に放出するように設計されることを特徴とする。【選択図】図１
2004503894.tif 000002
【特許請求の範囲】
【請求項１】
データメモリであって、屈折率が加熱により局所的に変更可能であるポリマー膜（４６）を有する光学的情報キャリア（１０）を備え、該光学的情報キャリア（１０）は、リール（１２）に巻き付けられ、そのために予定された領域（１４）において情報を読み出しおよび書き込むために、該リール（１２）から解かれるように設計される、データメモリ。
【請求項２】
前記ポリマー膜（４６）は延伸されることを特徴とする、請求項１に記載のデータメモリ。
【請求項３】
前記ポリマー膜（４６）に吸収体（４８）が割り当てられ、該吸収体は、書き込みビームを少なくとも部分的に吸収し、その際に生成された熱を少なくとも部分的に、局所的に該ポリマー膜（４６）に放出するように設計されることを特徴とする、請求項１または２に記載のデータメモリ。
【請求項４】
吸収体は、前記ポリマー膜（４６）上に配置された吸収体層（４８）に含まれることを特徴とする、請求項３に記載のデータメモリ。
【請求項５】
吸収体は、前記ポリマー膜の中に統合されることを特徴とする、請求項３または４に記載のデータメモリ。
【請求項６】
光学的情報キャリア（１０’）は、複数のポリマー膜プライ（３０、３２）を有し、該複数のポリマー膜プライを通って、情報が予め選択されたポリマー膜プライ（３０、３２）に書き込み可能、または予め選択されたポリマー膜プライ（３０、３２）から読み出し可能であることを特徴とする、請求項１〜５の１つに記載のデータメモリ。
【請求項７】
隣接し合うポリマー膜プライ（３０、３２）間に、それぞれ１つの接着層（３４）が配置されることを特徴とする、請求項６に記載のデータメモリ。
【請求項８】
前記接着層（３４）の屈折率は、前記隣接し合うポリマー膜プライ（３０、３２）の屈折率とわずかにのみ異なることを特徴とする、請求項７に記載のデータメモリ。
【請求項９】
前記接着層（３４）は吸収体を有し、該吸収体は、書き込みビームを少なくとも部分的に吸収し、その際に生成された熱を少なくとも部分的に、局所的に隣接するポリマー膜プライ（３０、３２）に放出するように設計されることを特徴とする、請求項７または８に記載のデータメモリ。
【請求項１０】
隣接し合うポリマー膜プライ（３０、３２）間に、それぞれ１つの吸収体層（３４）が配置され、該吸収体層は、書き込みビームを少なくとも部分的に吸収し、その際に生成された熱を該隣接するポリマー膜プライ（３０、３２）のうちの前記書き込みビーム（３６、３８）の焦点の最も近くに位置するプライに、特に局所的に放出するように設計されることを特徴とする、請求項６〜９の１つに記載のデータメモリ。
【請求項１１】
前記光学的情報キャリア（１０）は、複数のプライまたは層（４６、４８）を有し、少なくとも２つのプライまたは層（４６、４８）が同時押出されることを特徴とする、請求項１〜１０の１つに記載のデータメモリを製作する方法。
【発明の詳細な説明】
【０００１】
本発明は、光学的に書き込み可能および読み出し可能な情報キャリアを有するデータメモリに関する。
【０００２】
ＤＥ　２９８　１６　８０２　Ｕ１から、屈折率が加熱により局所的に変更可能なポリマー膜を有する、光学的に書き込み可能および読み出し可能なデータメモリが公知である。ポリマー膜が書き込みビームを用いて局所的に加熱される場合、屈折率の変化は、当該部位において反射出力（反射率）の変化をもたらす。これは、情報を記憶するために利用され得る。情報を読み出すために、増加された反射率を有する部位からより強く反射される読み出しビームが用いられる。これは、情報を検出するために測定され得る。ポリマー膜は、例えば、ポリプロピレン（Ｂｅｉｅｒｓｄｏｒｆ　ＡＧによって「ｔｅｓａｆｉｌｍ　ｋｒｉｓｔａｌｌｋｌａｒ」という名称で販売される製品のための材料）から構成され、作製の際に両方の表面方向にプレストレスが与えられ（延伸され）得る。これにより、材料において、高い固有エネルギーが蓄積される。書き込みビームにより局所的に加熱される場合、ポリマー膜のこのような実施形態において、戻り変形による明確な材料変化（圧縮）が起こり、この際、屈折率が所望の態様で変更される。公知のデータメモリの場合、ポリマー膜に隣接する接着層の１つにおいて吸収体（例えば、色素）が割り当てられる。この吸収体は、書き込みビームを好適に吸収し、その際に生成された熱を局所的にポリマー膜に放出する。吸収体を用いて、比較的低い書き込みビーム強度であっても、十分に大きい屈折率（例えば、約０．２の変化）が達成され得る。
【０００３】
公知のデータメモリのポリマー膜は、巻回コアに複数のプライ（例えば、１０〜３０のプライ）でらせん状に巻き付けられ、その際、隣接し合うポリマー膜プライ間に接着層が配置される。書き込みビームまたは読み出しビームをフォーカスすることによって、情報は、的確に、情報キャリアの予め選択されたプライに書き込まれ得、またはこのポリマー膜から読み出され得る。
【０００４】
公知のデータメモリの場合、ポリマー膜プライが対応して多数であると、確かに、比較的大きいデータ量が記憶され得る。しかしながら、このことは、特に、プライが環状に延びるのではなくらせん状の巻きを示し、このらせん状の巻きの場合、データメモリの中心軸への距離が巻きにおいて一定ではないため、書き込みビームまたは読み出しビームが個々のプライにトラッキングおよびフォーカスすることが要求される。不利であるのは、さらに、データメモリ内で吸収体により引き起こされる吸収は、プライの数とともに増加するということである。これにより、書き込み工程、および特に読み出し工程は、プライの数が大きくなるほど困難になる。従って、公知のデータ記憶媒体に適合したデータドライブは、構造が複雑にならざるを得ない。
【０００５】
本発明の課題は、公知のデータメモリのストレージ原理に基づくが、一般的な大きさの記憶容量であっても、上述の不利な点を示さないデータメモリを作製することである。
【０００６】
この課題は、請求項１の特徴を有するデータメモリにより解決される。本発明の有利な実施形態は、従属請求項から明らかである。請求項１１は、データメモリを製作する方法に関する。
【０００７】
本発明によるデータメモリは、屈折率が加熱により局所的に変更可能な（ポリマーキャリアである）ポリマー膜を含む、光学的情報キャリアを有する。光学的情報キャリアは、リールに巻き付けられ、そのために予定されたリールの領域において情報を読み出しおよび書き込むために、解かれるように設計される。従って、データメモリは、書き込みおよび読み出しに関して、磁気テープと類似に取り扱われ得、その際、リールから解かれた、光学的情報キャリアの断片は、好適には、収容リール（Ａｕｆｎａｈｍｅｓｐｕｌｅ）に巻き付けられる。
【０００８】
情報を読み出しおよび書き込む際に、データメモリに適合したドライブの読み出し／書き込みビームは、データキャリアプライにのみ（または好適な実施形態において、複数の、しかしながら好適には、少ない数のポリマー膜プライも）透過しなければならない。なぜなら、データが読み出されるか、またはデータが書き込まれる光学的情報キャリアの領域がリールから解かれるからである。この領域は、データドライブの読み出しデバイスおよび書き込みデバイスにより貫通される。従って、読み出し／書き込みビームのトラッキング（Ｎａｃｈｆｕｅｈｒｍｏｅｇｌｉｃｈｋｅｉｔ）およびフォーカスが要求されることは比較的少ない。このことは、ドライブのコストに有利な影響を及ぼす。本発明によるデータメモリのさらなる利点は、原則的に、冒頭に記載された従来のデータメモリにおけるよりも大きいか、それどころかはるかに大きいデータ量が記憶され得ることである。なぜなら、リールに巻き付けられた光学的情報キャリアの長さは、ほぼ無制限だからである。
【０００９】
ポリマー膜用のポリマーとして適切なのは、例えば、ポリプロピレンであるが、他の材料も考えられ得る。好適には、ポリマー膜は延伸され、二軸方向に延伸されたポリマー膜、例えば、二軸配向ポリプロピレン（ＢＯＰＰ）は、特に良好に適切である。ポリマー膜は、作製される際に、これらの平面の範囲内で、垂直に重なり合う２つの方向にプレストレスが与えられることによって、二軸方向に延伸される。これにより、膜材料内に、高いエネルギー密度が蓄積されることになる。書き込みビームを用いて、単位領域ごとに比較的少ないエネルギー量（熱量）を蓄積することにより、その後、戻り変形による強度の材料変化（例えば、材料の圧縮）が得られ得、結果として、材料における屈折率の局所的変化および光路長の変化をもたらす。好適には、屈折率の変化は、書き込みビームのより局所的に加熱される領域内で、０．２の規模で生じる。これは、反射率を局所的に変化させ、この反射率は、読み出しビームにより良好に検出され得る。
【００１０】
本発明の好適な実施形態において、ポリマー膜には少なくとも部分的に書き込みビームを吸収し、その際に生成された熱を少なくとも部分的に、局所的にポリマー膜に放出するように設計された吸収体が割り当てられる。吸収体は、例えば、ポリマー膜上に配置された吸収体層に含まれ得るか、またはポリマー膜に統合され得、これらの混合形態も考えられ得る。吸収体は、例えば、書き込みビームに用いられた光波長の場合に好適に吸収され、書き込みビームの強度が比較的小さい場合、屈折率を変更するために十分なポリマー膜の局所的加熱を可能にするような色素分子を含む。吸収体の例は、ディスパースレッド１（ＤＲ１）であり、これは、色素含有ポリマー膜を有する非線形光学における用途から公知のアゾ色素である。比較的高い温度安定性を有する吸収体は、例えば、アントラキノン色素またはインダントロン色素である。光学的情報キャリアは、好適には、それぞれに１つの吸収体が割り当てられ得る単一または少数のデータキャリアプライを有するので、この吸収体により引き起こされるわずかな、および読み出しおよび書き込み工程を妨害する透過性の問題は生じず、これは本発明のさらなる利点である。
【００１１】
すでに示されたように、光学的情報キャリアは複数のポリマー膜プライを有し得、情報は、このポリマー膜プライを通って、予め選択されたポリマー膜プライに書き込み可能、またはこのポリマー膜プライから読み出し可能である。好適には、隣接し合うポリマー膜プライ間で、ポリマー膜プライを互いに固定するために、それぞれ１つの接着層が配置される。従って、このようなデータメモリにおいて、光学的情報キャリアは、それぞれ１つのポリマー膜プライを有する複数のデータキャリアプライを有する。１つ以上の接着層の他に、さらに、例えば、吸収体層（上記参照）等の追加的な層も提供され得る。ポリマー膜プライのポリマー膜の厚さが１０μｍ〜１００μｍの場合、情報は、例えば、ＤＶＤ技術から公知の読み出しデバイスおよび書き込みデバイスにより高分解能で互いに分離され得る。ポリマー膜プライの厚さが、上述の範囲以外であることも考えられ得る。接着層は、例えば、１μｍ〜４０μｍの範囲の厚さを有し得る。接着剤として適切であるのは、例えば、気泡がないアクリレート接着剤であり、これは、例えば、化学的あるいは紫外線または電子ビームにより架橋される。
【００１２】
好適には、接着層とポリマー膜プライとの間の界面における読み出しビームまたは書き込みビームの妨害的な反射を最小化するために、接着層の屈折率が、隣接し合うポリマー膜プライの屈折率とわずかにのみ異なる。これらの屈折率の差が０．００５未満である場合に特に有利である。しかしながら、生じた屈折率の差は、データメモリをフォーマットするために利用され得る。
【００１３】
用いられたポリマー膜プライの数が大きいほど、光学的情報キャリアが所与の長さである場合、データメモリの記憶容量は大きくなる。逆に、記憶容量が予め与えられる場合、光学的情報キャリアの長さは、ポリマー膜プライの数の上昇とともに小さくなり、従って、予め与えられたデータが読み出されるべき場合、データメモリへのアクセス時間が短くなる。他方、ポリマー膜プライの数が大きくなるにつれ、上述のように、データドライブの読み出しデバイスおよび書き込みデバイスへの要求が高まる。従って、実際には、ポリマー膜プライの数を確定する際に、上述の利点および不利な点を調整することが重要である。
【００１４】
隣接し合うポリマー膜プライ間に、それぞれ１つの接着層が配置されるデータメモリにおいて、この接着層は、上述の態様の吸収体を有し得る。特に好適な実施形態において、隣接し合うポリマー膜プライ間に、それぞれ１つの吸収体層が配置され、この吸収体層は、書き込みビームを少なくとも部分的に吸収し、その際に生成された熱を、隣接し合うポリマー膜プライのうちで書き込みビームの焦点の最も近くに位置するプライに、特に局所的に放出する。この場合、接着層は、吸収体層として設計され得る。しかしながら、隣接し合うポリマー膜プライ間に、さらに吸収体層に、接着特性を有する１つ以上の層をさらに設けることも考えられ得る。この場合、この接着特性を有する層は、吸収体層から、書き込みビームの焦点に最も近くに位置する、隣接するポリマー膜プライへの熱の流れを過度に妨害しないように、吸収体層と比較して薄い必要がある。光学的情報キャリアの構成は、接着特性を有する吸収体層により分離される、合計２つのポリマー膜プライが設けられる場合、特に簡単でコストが安い。その際、書き込みビームの焦点の位置に応じて、一方のまたは他方のポリマー膜プライに、特に熱を放出することを可能にするために、これらの吸収体層は十分な厚さを有する。
【００１５】
本発明によるデータメモリのポリマー膜またはポリマー膜プライにおいて、情報単位は、１μｍ未満の好適な大きさを有する領域内で光学特性を変化させることによって形成される。この場合、その情報は、バイナリ形態で記憶され得る。すなわち、局所的な反射率は、情報単位の部位に２つの値のみを想定する。つまり、反射率が固定された閾値よりも大きい場合、例えば、「１」が情報キャリアの当該部位に記録され、反射率が、この閾値よりも小さいか、またはより低い閾値よりも小さい場合、それに応じて「０」が記録されるということである。しかしながら、複数のグレイレベルで情報が記録されることも考えられ得る。これは、情報単位の部位において、的確な方法で屈折率の規定の設定が行なわれることによりポリマー膜の反射率が変化し得る場合に、飽和に達することなく可能である。
【００１６】
光学的情報キャリアが複数のプライまたは層を有する、本発明によるデータメモリを製作する有利な方法において、少なくとも２つのプライまたは層が同時押出される。このようなプライまたは層は、例えば、１つ以上のポリマー膜プライ、１つ以上の吸収体層または１つ以上の接着層であり得る。この方法の場合、作業工程において複数のプライまたは層が製造され、好適には、互いに結合されるので、この方法は、高速で安いコストで実施され得る。
【００１７】
以下において、本発明は、例示的な実施形態を参照して詳細に記載される。
【００１８】
図１において、書き込み／読み出しデバイス２を有するドライブにおいて用いられるデータメモリ１の実施形態が模式的に示される。
【００１９】
データメモリ１は、帯状の光学的情報キャリア１０を有する。この情報キャリアは、リール１２に巻き付けられる。書き込み／読み出しデバイス２と向合う領域１４において、光学的情報キャリア１０がリール１２から解かれ、この部分は、例示的な実施形態において実質的に直線に延びる。その背後で、光学的情報キャリア１０は、収容リール１６によって受け取られ、そこで巻き付けられる。例示的な実施形態において、データメモリ１は、カセットとして構成され、この中に、リール１２および収容リール１６が統合される。ドライブの制御デバイスを介して、リール１２と収容リール１６との前進および後退、場合によっては、高速前進および高速後退が行なわれ得、書き込み／読み出しデバイス２と向き合う光学的情報キャリア１０の所望の領域１４に配置される。
【００２０】
光学的情報キャリア１０は、例示的な実施形態において、ポリマー膜を有する。このポリマー膜上に、例えば、図３との関連で後述されるものと類似の態様で、吸収体層が付与される。ポリマー膜は、ここでは、二軸配向ポリプロピレン（ＢＯＰＰ）を含み、５０μｍの厚さを有する。吸収体層は、アクリレート化合物に結合剤として埋め込まれる吸収体色素を含み、２５μｍの層厚を有する。吸収体色素として、例えば、（特に、緑色の書き込みレーザに）ディスパースレッド１または（特に、赤色の書き込みレーザに）ローダミン８００が適切である。光学的情報キャリアは、例示的な実施形態において、１０ｍｍ幅であり、２００ｍの長さを有する。他の材料、組成および寸法も同様に可能である。
【００２１】
書き込み／読み出しデバイス２は、データを光学的情報キャリア１０に書き込むか、または光学的情報キャリアから読み出すことを、特に、光学的情報キャリア１０の幅全体にわたって（すなわち、図１における紙のレベルに対して垂直の方向で）可能にする書き込み／読み出しヘッドを備える。他の実施形態において、光学的情報キャリア１０は、並列に進行するリールに分けられ、所定の時間に、所定のリールに割り当てられたデータのみが処理され得る。書き込み／読み出しヘッドは、光学素子を有し、この光学素子を用いて、図１に図示されないレーザによって生成された光のビーム（例えば、波長６８０ｎｍ、６３０ｎｍまたは５３２ｎｍ）が光学的情報キャリア１０にフォーカスされ得る。６８０ｎｍの光のビームは、例えば、妥当な価格の赤色レーザダイオードを用いて生成され得る。
【００２２】
情報をデータメモリ１に記憶または書き込むために、レーザは、例示的な実施形態において、約１ｍＷのビームパワーで駆動される。この場合、レーザビームは、書き込みビームとして機能し、光学的情報キャリア１０に（好適には、ポリマー膜と吸収体層との間の遷移領域に）フォーカスされるので、ビームスポットは、約１μｍより小さい。この際、光のエネルギーは、１０μｓ持続時間のショートパルスの形態で導入される。書き込みビームのエネルギーは、ビームスポットにおいて吸収され、吸収体により促進される。このことは、上述のように、ポリマー膜の局所的加熱、従って、屈折率および反射率の局所的変化に至る。例示的な実施形態において、反射率は、書き込みビームにより加熱されると小さくなる。図１において、上述された態様で、例えば、論理値「０」が光学的情報キャリア１０に書き込まれる部位が１８で表示され、太く拡大された幅で模式的に示される。
【００２３】
記憶された情報をデータメモリ１から読み出すために、レーザは、例示的な実施形態において、連続波モード（ＣＷモード）で駆動される。記憶された情報に依存せず、読み出しビームとして機能する、所望の部位にフォーカスされたレーザビームは反射され、反射されたビームの強度は書き込み／読み出しデバイス２における検出器により検出される。図１において、読み出し工程は、論理値「０」（左）および論理値「１」（右）を用いて説明される。２０で表示された読み出しビームが、光学的情報キャリア１０の部位１８に当たった場合、上記に見出されるように、比較的少ない部分が反射され、弱い反射２２が生じる。これに対して、読み出しビーム２０が論理値「１」に当たった場合、より大きい部分が反射されるので、強い反射２４が生じる。これは、検出器２６により検出され、ドライブ、またはこのドライブを内蔵する計算器により処理される。図１において、明瞭にするために、２つの読み出しビームが隣り合わせで示される。しかしながら、これは、同一の読み出しビームである。読み出し工程において、ポリマー膜は、たいして加熱されないので、前に書き込まれた情報が保持された状態である。
【００２４】
データメモリは、ユーザによる書き込みが不可能な実施形態もあり得る。この場合、データメモリは、製造者により書き込まれた情報単位を含む。ユーザのデータドライブにおける書き込み機能は不必要になる。
【００２５】
図２は、データメモリ１と類似に構成されるが、情報を記憶するために、光学情報キャリア１０’が２つのプライを有するデータメモリ１’を図１と類似の態様で示す。データメモリ１’は、リール１２’および収容リール１６’を有する。リール１２’と収容リール１６’との間の光学的情報キャリア１０’の領域は、図２において１４’で表示される。
【００２６】
光学的情報キャリア１０’は、第１のポリマー膜プライ３０および第２のポリマー膜プライ３２を有し、これらの両方は、例示的な実施形態において、２５μｍの厚さを有する二軸配向ポリプロピレンを含む。第１のポリマー膜プライ３０と第２のポリマー膜プライとの間に３０μｍの厚さの接着層３４が位置し、この接着層を介して２つのポリマー膜プライ３０および３２が可撓性で互いに接着される。接着層３４は、例示的な実施形態において、吸収体色素が混合されたアクリレート接着剤を含む。
【００２７】
ドライブの書き込み／読み出しデバイスは、図１に記載されるものと同様に構成される。しかしながら、書き込みビームも読み出しビームも、光学素子を用いて第１のポリマー膜プライ３０または第２のポリマー膜プライ３２に選択的にフォーカスされ得る。書き込みビームが、図２に参照符号３６で示されるように、第１のポリマー膜プライ３０、または第１のポリマー膜プライ３０の近傍の接着層３４にフォーカスされた場合、実質的に、第１のポリマー膜プライ３０が局所的に加熱される。なぜなら、書き込みビーム３６は、第２のポリマー膜プライ３２の領域、およびこの領域と接する接着層３４の領域においてデフォーカスされるからである。従って、この場合、第１のポリマー膜プライ３０において、例えば、論理値「０」のみが書き込まれる。逆に、書き込みビームが第２のポリマー膜プライ３２にフォーカスすることによって、情報が第２のポリマー膜プライ３２に書き込まれ得る（図２における参照符号３８）。情報を読み出すために、読み出しビームは、対応してフォーカスされる。
【００２８】
図３は、光学的情報キャリア１０”を製作（図１からのデータメモリ１の情報キャリアと類似）するために、ポリマー膜が、ポリマー膜上に配置された吸収体層と同時押出しされる態様を模式的に示す。
【００２９】
このために用いられる押出し成形器は、２つの出口開口部を有する押出し成形器ヘッド４０を有し、これらの開口部からポリマー４２（例示的な実施形態において、ポリプロピレン）および吸収体４４（下記参照）が加熱された温度の下で出て行く。押出し成形器ヘッド４０の背後に、これらの両方の出発原料を押出し（ｚｕｓａｍｍｅｎｌａｕｆｅｎ）、冷却されると２つの層、すなわち、参照符号４６で表示されるポリマー膜および４８で表示される吸収体層を形成する。ポリマー膜４６および吸収体層４８は、互いに付着し合い、光学的情報キャリア１０を形成する。厳密には、光学的情報キャリア１０または出発原料が生成され、押出し成形物が押出された後に二軸方向に延伸されることにより、この光学的情報キャリア１０または出発原料から、光学的情報キャリア１０が適当な形に切り取られ得る。これにより、ポリマー膜４６が二軸配向ポリプロピレン（ＢＯＰＰ）、すなわち、高い固有のエネルギーが蓄積された（上記参照）材料を含む膜になる。
【００３０】
図３と関連する例において、押出し成形器ヘッド４０は、１２０〜１５０℃の温度を有する。吸収体４４として、結合剤としてのアクリレートホットメルト化合物を有する、重量ごとに０．０１〜０．１％の吸収体色素スーダンレッドＢの混合物が利用される。すなわち、吸収体層４８は、アクリレート結合剤の中に埋め込まれた吸収体色素スーダンレッドＢを含む。押出し成形物は、長手方向（すなわち、ポリマー４２および吸収体４４が押出し成形器ヘッド４０から出て行く方向）に約５００％、縦方向に約７００％延伸される。二軸方向に延伸された後、ポリマー膜４６は２０〜３０μｍの厚さ、および吸収体層４８は１０〜２０μｍの厚さを有するので、光学的情報キャリアの厚さ全体は３０〜５０μｍになる。
【００３１】
実施形態に応じて、他の作製条件および他の組成、あるいは個々の層に関する寸法が可能である。場合によっては、他のプライまたは層と同時押出しされ得るさらなる層が設けられることも考えられ得る。
【００３２】
光学的情報キャリアを製作するための別の可能性において、吸収体がポリマー膜用のポリマーに混合される。光学的情報キャリア、またはこのキャリアの出発原料は、その後、吸収体含有ポリマーを含むポリマー膜と吸収体との統合体として押出される。例示的な実施形態において、ポリプロピレンと、重量ごとに０．０１〜０．１％の吸収体色素スーダンレッドＢとの混合物が１２０〜１５０℃の温度の下で押出される。次に、押出し成形物は、二軸方向に、しかも、長手方向（すなわち、ポリマーと吸収体色素との混合物が押出し成形器ヘッドから出ていく方向）に約５００％、および縦方向に約７００％延伸される。このようにして生成された情報キャリアは、３０〜５０μｍの厚さ、および約０．３の光学濃度（下記参照）を有する。実施形態に応じて、他の作製条件および他の混合物、すなわち他のポリマーまたは吸収体色素の混合物、ならびに他の寸法が可能である。光学的情報キャリアが複数のポリマー膜プライを有する場合、ポリマー膜と吸収体との上述の統合体を、吸収体色素の添加を含まない接着層（例えば、アクリレート接着剤またはワニス）と一緒に押出し（同時押出し）、その後、例えば３０〜５０μｍの総厚さになるように二軸方向に延伸することは有利である。完全な光学的情報キャリアは、次に、複数のこのような層のシーケンスを用いて構成され得る。
【００３３】
吸収体色素は、さらに、拡散プロセスによりポリマー膜に導入され得る。拡散プロセスを実行するために、ポリマー膜は吸収体を含む溶液中に浸漬され得る。溶媒は、一方で、吸収体を溶解し、他方、ポリマー膜が溶液を吸収し、膨潤するまで影響を及ぼす。この際、吸収体分子は、ポリマー膜の内部において分布する。次に、ポリマー膜は、溶液から取出され、溶液は蒸発する。この際、ポリマー膜は、実質的に、その下の寸法を再び取り戻し、吸収体分子はポリマー膜の内部に残留する。
【００３４】
拡散プロセスに関する別の可能性は、吸収体が、まず、気相に変換され、ポリマー膜が吸収体を含む気体に曝されるということである。この際、吸収体分子はポリマー膜の内部に向かって拡散し、吸収体分子の一部は、吸収プロセスの結果、ここに残留する。
【００３５】
ポリプロピレンから作製されるポリマー膜に適切なのは、吸収体ディスパースレッド１（ＤＲ１）である。ＤＲ１は、アゾ色素であり、非線形光学において色素含有ポリマー膜を用いる用途から公知である。この吸収体は、好適には、拡散プロセスを介してポリマー膜に付加される。これに対して、光学的情報キャリアの出発原料が上述の方法のうちの１つに従って押出すことにより製作され、その際、ポリプロピレンについては、２００℃の規模の温度が生じ得る場合、例えば、アントラキノン色素またはインダントロン色素といった、比較的高い温度安定性を有する吸収体がＤＲ１よりも適切である。
【００３６】
ポリプロピレンとは別のポリマー膜用の材料も、同様に考えられ得る。従って、例えば、ポリエチレンテレフタレート（ＰＥＴ）が、吸収体色素ＤＲ１との関連でも用いられ得る。
【００３７】
光学的情報キャリアは、好適には、ポリマー膜プライに０．１〜０．３の範囲の光学的厚さが対応するような量または濃度で吸収体を含む。光学濃度は、ここでは書き込みビームの光波長に関する吸収の基準である。しかしながら、光学濃度は、用途に応じて、この範囲以外でもよい。特に、１つまたは２つのポリマー膜プライのみが適用される場合、より大きい光学濃度が利点を提供する。
【００３８】
光学濃度は、吸収体の挙動を特徴付けるために良好に適切な大きさである。光学濃度には、
Ｄ＝ｌｏｇ（１／Ｔ）＝Ｅλｃｄ
が当てはまる。
【００３９】
ここで、Ｔ＝Ｉ／Ｉ０は、厚さｄの層を通る透過度であり、入射ビームの強度はＩ０からＩに降下する。Ｅλは、波長λが用いられた場合の吸光率（係数に依存する物質パラメータ）であり、ｃは層中の吸収体の濃度である。
【図面の簡単な説明】
【図１】
図１は、本発明によるデータメモリに適合したドライブにおける本発明によるデータメモリを模式的に図示する。
【図２】
図２は、適合されたドライブにおける、光学的上昇キャリアが２つのポリマー膜プライを有する本発明によるデータメモリの実施形態を模式的に図示する。
【図３】
図３は、ポリマー膜と吸収体層とが同時押出される押出しヘッドを模式的に図示する。
【国際公開パンフレット】
2004503894.tif 000003
2004503894.tif 000004
2004503894.tif 000005
2004503894.tif 000006
2004503894.tif 000007
2004503894.tif 000008
2004503894.tif 000009
2004503894.tif 000010
2004503894.tif 000011
2004503894.tif 000012
2004503894.tif 000013
2004503894.tif 000014
2004503894.tif 000015
2004503894.tif 000016
2004503894.tif 000017
2004503894.tif 000018
2004503894.tif 000019
2004503894.tif 000020
2004503894.tif 000021
2004503894.tif 000022
【国際調査報告】
2004503894.tif 000023
2004503894.tif 000024
2004503894.tif 000025
2004503894.tif 000026
2004503894.tif 000027
2004503894.tif 000028